(57)【特許請求の範囲】
【請求項１】
絶縁性を有し、帯状に形成された帯状部材と、
前記帯状部材の一方の面に、当該帯状部材の長手方向に並んで形成された複数の第１電極と、
前記帯状部材の一方の面に、前記複数の第１電極と並んで形成された複数の第２電極と、を備え、
前記帯状部材は、巻回され、
前記第１電極は、巻回された前記帯状部材のうち当該第１電極より外周側の部分を挟んで、当該第１電極とは異なる１つの第１電極と対向するとともに、巻回された前記帯状部材のうち当該第１電極より内周側の部分を挟んで、当該第１電極とは異なる１つの第１電極と対向し、
前記帯状部材を挟んで前記第１電極同士が対向する領域の各静電容量は、等しく、
前記第２電極は、巻回された前記帯状部材のうち当該第２電極より外周側の部分を挟んで、当該第２電極とは異なる１つの第２電極と対向するとともに、巻回された前記帯状部材のうち当該第２電極より内周側の部分を挟んで、当該第２電極とは異なる１つの第２電極と対向し、
前記帯状部材を挟んで前記第２電極同士が対向する領域の各静電容量は、等しいことを特徴とするフィルタ回路。
【請求項２】
前記複数の第２電極は、前記複数の第１電極と対に形成され、
前記複数の第２電極のそれぞれは、前記複数の第１電極のうち対に形成されたものと接続されることを特徴とする請求項１に記載のフィルタ回路。
【請求項３】
絶縁性を有し、帯状に形成された第１の帯状部材と、
前記第１の帯状部材の一方の面に、当該第１の帯状部材の長手方向に並んで形成された複数の第１の一方電極と、
前記第１の帯状部材の一方の面に、前記複数の第１の一方電極と並んで形成された複数の第２の一方電極と、
前記第１の帯状部材の他方の面に、当該第１の帯状部材の長手方向に並んで形成された複数の第１の他方電極と、
前記第１の帯状部材の他方の面に、前記複数の第１の他方電極と並んで形成された複数の第２の他方電極と、
前記第１の帯状部材と等しい厚さおよび誘電率を有するとともに、絶縁性を有し、当該第１の帯状部材の長手方向に帯状に形成され、前記複数の第１の他方電極および前記複数の第２の他方電極を当該第１の帯状部材と挟持する第２の帯状部材と、を備え、
前記第１の帯状部材および前記第２の帯状部材は、巻回され、
前記第１の一方電極は、前記第１の帯状部材を挟んで、前記複数の第１の他方電極のうち互いに隣接する２つと対向するとともに、前記第２の帯状部材を挟んで、前記複数の第１の他方電極のうち互いに隣接する２つと対向し、
前記第１の他方電極は、前記第１の帯状部材を挟んで、前記複数の第１の一方電極のうち互いに隣接する２つと対向するとともに、前記第２の帯状部材を挟んで、前記複数の第１の一方電極のうち互いに隣接する２つと対向し、
前記第１の帯状部材を挟んで前記第１の一方電極と前記第１の他方電極とが対向する領域の各静電容量と、前記第２の帯状部材を挟んで前記第１の一方電極と前記第１の他方電極とが対向して形成する領域の各静電容量とは、等しく、
前記第２の一方電極は、前記第１の帯状部材を挟んで、前記複数の第２の他方電極のうち互いに隣接する２つと対向するとともに、前記第２の帯状部材を挟んで、前記複数の第２の他方電極のうち互いに隣接する２つと対向し、
前記第２の他方電極は、前記第１の帯状部材を挟んで、前記複数の第２の一方電極のうち互いに隣接する２つと対向するとともに、前記第２の帯状部材を挟んで、前記複数の第２の一方電極のうち互いに隣接する２つと対向し、
前記第１の帯状部材を挟んで前記第２の一方電極と前記第２の他方電極とが対向する領域の各静電容量と、前記第２の帯状部材を挟んで前記第２の一方電極と前記第２の他方電極とが対向する領域の各静電容量とは、等しく、
前記複数の第２の一方電極は、前記複数の第１の一方電極と対に形成され、
前記複数の第２の他方電極は、前記複数の第１の他方電極と対に形成され、
前記複数の第２の一方電極のそれぞれは、前記複数の第１の一方電極のうち対に形成されたものと接続され、
前記複数の第２の他方電極のそれぞれは、前記複数の第１の他方電極のうち対に形成されたものと接続されることを特徴とするフィルタ回路。
【発明の詳細な説明】
【技術分野】
【０００１】
本発明は、フィルタ回路に関する。
【背景技術】
【０００２】
従来、フィルタ回路は、様々な回路や装置に用いられる。例えば特許文献１、２には、フィルタ回路を用いた直流電源が示されている。これら直流電源は、フィルタ回路に加えて、交流電圧を整流および昇圧するコッククロフト・ウォルトン回路を備えており、コッククロフト・ウォルトン回路の出力をフィルタ回路により平滑して、直流電圧を出力する。
【先行技術文献】
【特許文献】
【０００３】
【特許文献１】特開平８−１１６６７３号公報
【特許文献２】特開２００１−１６８５３号公報
【発明の概要】
【発明が解決しようとする課題】
【０００４】
特許文献１、２に示されている直流電源では、交流電圧の交流成分やノイズがフィルタ回路に伝搬してしまうと、出力する直流電圧にリプルが発生してしまう。そこで、交流電圧の交流成分やノイズがフィルタ回路に伝搬するのを防止するために、例えば特許文献１では、フィルタ回路に対してシールドを施している。しかしながら、フィルタ回路に対してシールドを施すと、フィルタ回路が大型化してしまい、直流電源を小型化できない。
【０００５】
上述の課題を鑑み、本発明は、フィルタ回路を小型化することを目的とする。
【課題を解決するための手段】
【０００６】
本発明は、上述の課題を解決するために、以下の事項を提案している。
（１）  本発明は、絶縁性を有し、帯状に形成された帯状部材（例えば、図１の誘電体フィルム１０に相当）と、前記帯状部材の一方の面に、当該帯状部材の長手方向に並んで形成された複数の第１電極（例えば、図１の第１電極Ｘ１〜Ｘ４に相当）と、前記帯状部材の一方の面に、前記複数の第１電極と並んで形成された複数の第２電極（例えば、図１の第２電極Ｙ１〜Ｙ４に相当）と、を備え、前記帯状部材は、巻回され、前記第１電極は、巻回された前記帯状部材のうち当該第１電極より外周側の部分を挟んで、当該第１電極とは異なる１つの第１電極と対向するとともに、巻回された前記帯状部材のうち当該第１電極より内周側の部分を挟んで、当該第１電極とは異なる１つの第１電極と対向し、前記帯状部材を挟んで前記第１電極同士が対向する領域の各静電容量は、等しく、前記第２電極は、巻回された前記帯状部材のうち当該第２電極より外周側の部分を挟んで、当該第２電極とは異なる１つの第２電極と対向するとともに、巻回された前記帯状部材のうち当該第２電極より内周側の部分を挟んで、当該第２電極とは異なる１つの第２電極と対向し、前記帯状部材を挟んで前記第２電極同士が対向する領域の各静電容量は、等しいことを特徴とするフィルタ回路（例えば、図３のフィルタ回路１に相当）を提案している。
【０００７】
この発明によれば、帯状部材の一方の面に、複数の第１電極を形成するとともに、これら複数の第１電極と並んで複数の第２電極を形成し、この帯状部材を巻回した。また、第１電極を、帯状部材のうちこの第１電極より外周側の部分を挟んで他の１つの第１電極と対向させるとともに、帯状部材のうちこの第１電極よりも内周側の部分を挟んで他の１つの第１電極と対向させた。第２電極についても、第１電極と同様に、帯状部材のうちこの第２電極より外周側の部分を挟んで他の１つの第２電極と対向させるとともに、帯状部材のうちこの第２電極よりも内周側の部分を挟んで他の１つの第２電極と対向させた。このため、帯状部材を挟んで第１電極同士が対向する領域では、容量が形成され、これら容量は直列接続された状態になる。また、帯状部材を挟んで第２電極同士が対向する領域では、容量が形成され、これら容量も直列接続された状態になる。したがって、第１電極によりフィルタを形成するとともに、第２電極によりフィルタを形成することができる。
【０００８】
また、第１電極により形成される容量の各静電容量は等しく、第２電極により形成される容量の各静電容量も等しい。このため、第１電極により形成されるフィルタと、第２電極により形成されるフィルタと、に電圧を印加すると、巻回された帯状部材には、内周部から外周部または外周部から内周部に向かって、等電位電界が形成されることとなる。このため、これらフィルタに対してシールドを施さなくても、これらフィルタに交流電圧の交流成分やノイズが伝搬してしまうのを防止できる。したがって、フィルタに対するシールドが不要となるので、これらフィルタを備えるフィルタ回路を小型化できる。
【０００９】
（２）  本発明は、（１）のフィルタ回路について、前記複数の第２電極は、前記複数の第１電極と対に形成され、前記複数の第２電極のそれぞれは、前記複数の第１電極のうち対に形成されたものと接続されることを特徴とするフィルタ回路（例えば、図６のフィルタ回路１Ａに相当）を提案している。
【００１０】
この発明によれば、（１）のフィルタ回路において、複数の第２電極を複数の第１電極と対に形成し、これら複数の第２電極のそれぞれを、複数の第１電極のうち対に設けられたものと接続した。
【００１１】
このため、第１電極により形成される各容量と、第２電極により形成される各容量と、を並列接続させることができるので、上述の等電位電界をより安定して形成させることができ、フィルタに交流電圧の交流成分やノイズが伝搬してしまうのを的確に防止できる。
【００１２】
（３）  本発明は、絶縁性を有し、帯状に形成された第１の帯状部材（例えば、図９の誘電体フィルム１１に相当）と、前記第１の帯状部材の一方の面に、当該第１の帯状部材の長手方向に並んで形成された複数の第１の一方電極（例えば、図９の第１電極Ｘ１１〜Ｘ１３に相当）と、前記第１の帯状部材の一方の面に、前記複数の第１の一方電極と並んで形成された複数の第２の一方電極（例えば、図９の第２電極Ｙ１１〜Ｙ１３に相当）と、前記第１の帯状部材の他方の面に、当該第１の帯状部材の長手方向に並んで形成された複数の第１の他方電極（例えば、図９の第１電極Ｘ２１、Ｘ２２に相当）と、前記第１の帯状部材の他方の面に、前記複数の第１の他方電極と並んで形成された複数の第２の他方電極（例えば、図９の第２電極Ｙ２１、Ｙ２２に相当）と、前記第１の帯状部材と等しい厚さおよび誘電率を有するとともに、絶縁性を有し、当該第１の帯状部材の長手方向に帯状に形成され、前記複数の第１の他方電極および前記複数の第２の他方電極を当該第１の帯状部材と挟持する第２の帯状部材（例えば、図１０の誘電体フィルム１２に相当）と、を備え、前記第１の帯状部材および前記第２の帯状部材は、巻回され、前記第１の一方電極は、前記第１の帯状部材を挟んで、前記複数の第１の他方電極のうち互いに隣接する２つと対向するとともに、前記第２の帯状部材を挟んで、前記複数の第１の他方電極のうち互いに隣接する２つと対向し、前記第１の他方電極は、前記第１の帯状部材を挟んで、前記複数の第１の一方電極のうち互いに隣接する２つと対向するとともに、前記第２の帯状部材を挟んで、前記複数の第１の一方電極のうち互いに隣接する２つと対向し、前記第１の帯状部材を挟んで前記第１の一方電極と前記第１の他方電極とが対向する領域の各静電容量と、前記第２の帯状部材を挟んで前記第１の一方電極と前記第１の他方電極とが対向する領域の各静電容量とは、等しく、前記第２の一方電極は、前記第１の帯状部材を挟んで、前記複数の第２の他方電極のうち互いに隣接する２つと対向するとともに、前記第２の帯状部材を挟んで、前記複数の第２の他方電極のうち互いに隣接する２つと対向し、前記第２の他方電極は、前記第１の帯状部材を挟んで、前記複数の第２の一方電極のうち互いに隣接する２つと対向するとともに、前記第２の帯状部材を挟んで、前記複数の第２の一方電極のうち互いに隣接する２つと対向し、前記第１の帯状部材を挟んで前記第２の一方電極と前記第２の他方電極とが対向する領域の各静電容量と、前記第２の帯状部材を挟んで前記第２の一方電極と前記第２の他方電極とが対向する領域の各静電容量とは、等しいことを特徴とするフィルタ回路（例えば、図１２のフィルタ回路１Ｃに相当）を提案している。
【００１３】
この発明によれば、第１の帯状部材の一方の面に、複数の第１の一方電極を形成するとともに、これら複数の第１の一方電極と並んで複数の第２の一方電極を形成した。また、第２の帯状部材の他方の面に、複数の第１の他方電極を形成するとともに、これら複数の第１の他方電極と並んで第２の他方電極を形成した。また、複数の第１の他方電極および複数の第２の他方電極を、第１の帯状部材と第２の帯状部材とで挟持させ、これら第１の帯状部材および第２の帯状部材を巻回した。また、第１の一方電極を、互いに隣接する２つの第１の他方電極と第１の帯状部材を挟んで対向させるとともに、互いに隣接する２つの第１の他方電極と第２の帯状部材を挟んで対向させた。また、第１の他方電極を、互いに隣接する２つの第１の一方電極と第１の帯状部材を挟んで対向させるとともに、互いに隣接する２つの第１の一方電極と第２の帯状部材を挟んで対向させた。また、第２の一方電極を、互いに隣接する２つの第２の他方電極と第１の帯状部材を挟んで対向させるとともに、互いに隣接する２つの第２の他方電極と第２の帯状部材を挟んで対向させた。また、第２の他方電極を、互いに隣接する２つの第２の一方電極と第１の帯状部材を挟んで対向させるとともに、互いに隣接する２つの第２の一方電極と第２の帯状部材を挟んで対向させた。
【００１４】
このため、第１の帯状部材を挟んで第１の一方電極と第１の他方電極とが対向する領域では、容量が形成され、これら容量は直列接続された状態になる。また、第２の帯状部材を挟んで第１の一方電極と第１の他方電極とが対向する領域でも、容量が形成され、これら容量は直列接続された状態となる。第２の一方電極および第２の他方電極においても、第１の一方電極および第１の他方電極と同様に、第１の帯状部材を挟んで対向する領域と、第２の帯状部材を挟んで対向する領域と、で容量が形成される。そして、第１の帯状部材を挟んで第２の一方電極および第２の他方電極により形成される容量が直列接続されるとともに、第２の帯状部材を挟んで第２の一方電極および第２の他方電極により形成される容量も直列接続される。以上より、第１の一方電極および第１の他方電極によりフィルタを形成するとともに、第２の一方電極および第２の他方電極によりフィルタを形成することができる。
【００１５】
また、第１の帯状部材を挟んで第１の一方電極および第１の他方電極により形成される容量の各静電容量と、第２の帯状部材を挟んで第１の一方電極および第１の他方電極により形成される容量の各静電容量と、は等しい。また、第１の帯状部材を挟んで第２の一方電極および第２の他方電極により形成される容量の各静電容量と、第２の帯状部材を挟んで第２の一方電極および第２の他方電極により形成される容量の各静電容量と、は等しい。このため、第１の一方電極および第１の他方電極により形成されるフィルタと、第２の一方電極および第２の他方電極により形成されるフィルタと、に電圧を印加すると、巻回された第１の帯状部材および第２の帯状部材には、内周部から外周部または外周部から内周部に向かって、等電位電界が形成されることとなる。このため、これらフィルタに対してシールドを施さなくても、これらフィルタに交流電圧の交流成分やノイズが伝搬してしまうのを防止できる。したがって、フィルタに対するシールドが不要となるので、これらフィルタを備えるフィルタ回路を小型化できる。
【００１６】
また、第１の帯状部材を挟んで第１の一方電極および第１の他方電極により形成される容量には、第２の帯状部材を挟んで同一の第１の一方電極および第１の他方電極により形成される容量が、並列接続される。また、第１の帯状部材を挟んで第２の一方電極および第２の他方電極により形成される容量には、第２の帯状部材を挟んで同一の第２の一方電極および第２の他方電極により形成される容量が、並列接続されることとなる。このため、上述の等電位電界をより安定して形成させることができるので、フィルタに交流電圧の交流成分やノイズが伝搬してしまうのをより的確に防止できる。
【００１７】
（４）  本発明は、（３）のフィルタ回路について、前記複数の第２の一方電極は、前記複数の第１の一方電極と対に形成され、前記複数の第２の他方電極は、前記複数の第１の他方電極と対に形成され、前記複数の第２の一方電極のそれぞれは、前記複数の第１の一方電極のうち対に形成されたものと接続され、前記複数の第２の他方電極のそれぞれは、前記複数の第１の他方電極のうち対に形成されたものと接続されることを特徴とするフィルタ回路を提案している。
【００１８】
この発明によれば、（３）のフィルタ回路において、複数の第２の一方電極を複数の第１の一方電極と対に形成するとともに、複数の第２の他方電極を複数の第１の他方電極と対に形成した。また、複数の第２の一方電極のそれぞれを、複数の第１の一方電極のうち対に設けられたものと接続するとともに、複数の第２の他方電極のそれぞれを、複数の第１の他方電極のうち対に設けられたものと接続した。
【００１９】
このため、第１の一方電極および第１の他方電極により形成される各容量と、第２の一方電極および第２の他方電極により形成される各容量と、を並列接続させることができるので、上述の等電位電界をより安定して形成させることができ、フィルタに交流電圧の交流成分やノイズが伝搬してしまうのを的確に防止できる。
【発明の効果】
【００２０】
本発明によれば、フィルタ回路を小型化できる。
【図面の簡単な説明】
【００２１】
【図１】本発明の第１実施形態に係るフィルタ回路が備える平面状フィルタ回路の正面図である。
【図２】図１の平面状フィルタ回路のＡ−Ａ断面図である。
【図３】前記フィルタ回路の模式図である。
【図４】前記フィルタ回路の等価回路図である。
【図５】本発明の第２実施形態に係るフィルタ回路が備える平面状フィルタ回路の正面図である。
【図６】前記フィルタ回路の等価回路図である。
【図７】本発明の第３実施形態に係るフィルタ回路が備える平面状フィルタ回路の正面図である。
【図８】前記フィルタ回路の等価回路図である。
【図９】本発明の第４実施形態に係るフィルタ回路が備える平面状フィルタ回路の正面図である。
【図１０】図９の平面状フィルタ回路のＢ−Ｂ断面図である。
【図１１】前記平面状フィルタ回路の等価回路図である。
【図１２】前記フィルタ回路の模式図である。
【図１３】前記フィルタ回路の等価回路図である。
【発明を実施するための形態】
【００２２】
以下、本発明の実施形態について図面を参照しながら説明する。なお、以下の実施形態における構成要素は適宜、既存の構成要素などとの置き換えが可能であり、また、他の既存の構成要素との組合せを含む様々なバリエーションが可能である。したがって、以下の実施形態の記載をもって、特許請求の範囲に記載された発明の内容を限定するものではない。
【００２３】
＜第１実施形態＞
図１、２、３、４を用いて、本発明の第１実施形態に係るフィルタ回路１について説明する。
【００２４】
フィルタ回路１は、図３を用いて後述するように平面状フィルタ回路２を巻回すことにより、形成される。この平面状フィルタ回路２は、図１に示すように、帯状部材としての誘電体フィルム１０と、第１電極Ｘ１〜Ｘ４と、第２電極Ｙ１〜Ｙ４と、を備える。
【００２５】
誘電体フィルム１０は、絶縁性を有し、帯状に形成される。第１電極Ｘ１〜Ｘ４は、図１と、図１の平面状フィルタ回路２のＡ−Ａ断面図である図２と、に示すように、誘電体フィルム１０の一方の面に、この誘電体フィルム１０の長手方向に並んで形成される。第２電極Ｙ１〜Ｙ４は、図１に示すように、誘電体フィルム１０の一方の面に、第１電極Ｘ１〜Ｘ４と並んで形成される。
【００２６】
以上の誘電体フィルム１０を後述のように巻回すことにより、平面状フィルタ回路２を、図３に示すように巻回す。
【００２７】
具体的には、第１に、第１電極Ｘ１〜Ｘ４および第２電極Ｙ１〜Ｙ４のそれぞれが、巻回された誘電体フィルム１０のうち自身の形成されている部分より外周側に位置するように、誘電体フィルム１０を巻回す。これによれば、例えば第１電極Ｘ１は、巻回された誘電体フィルム１０のうち第１電極Ｘ１の形成されている部分より外周側に、位置することとなる。
【００２８】
第２に、以下の２つの条件を満たすように、誘電体フィルム１０を巻回す。第１の条件は、第１電極Ｘ１〜Ｘ４のそれぞれが、巻回された誘電体フィルム１０のうち自身の形成されている部分より外周側の部分を挟んで、第１電極Ｘ１〜Ｘ４のうち自身とは異なる１つと対向するとともに、巻回された誘電体フィルム１０のうち自身の形成されている部分より内周側の部分を挟んで、第１電極Ｘ１〜Ｘ４のうち自身とは異なる１つと対向するということである。第２の条件は、第２電極Ｙ１〜Ｙ４のそれぞれが、巻回された誘電体フィルム１０のうち自身の形成されている部分より外周側の部分を挟んで、第２電極Ｙ１〜Ｙ４のうち自身とは異なる１つと対向するとともに、巻回された誘電体フィルム１０のうち自身の形成されている部分より内周側の部分を挟んで、第２電極Ｙ１〜Ｙ４のうち自身とは異なる１つと対向するということである。
【００２９】
上述の２つの条件を満たすように誘電体フィルム１０を巻回すと、第１電極Ｘ１と第１電極Ｘ２、第１電極Ｘ２と第１電極Ｘ３、第１電極Ｘ３と第１電極Ｘ４、第２電極Ｙ１と第２電極Ｙ２、第２電極Ｙ２と第２電極Ｙ３、第２電極Ｙ３と第２電極Ｙ４は、それぞれ、誘電体フィルム１０を挟んで対向し、対向する領域では、容量が形成されることとなる。以降では、誘電体フィルム１０を挟んで第１電極Ｘ１と第１電極Ｘ２とが対向して形成される容量を、容量Ｃ１１と呼ぶこととする。また、第１電極Ｘ２と第１電極Ｘ３、第１電極Ｘ３と第１電極Ｘ４、第２電極Ｙ１と第２電極Ｙ２、第２電極Ｙ２と第２電極Ｙ３、第２電極Ｙ３と第２電極Ｙ４についても、誘電体フィルム１０を挟んで対向して形成される容量を、それぞれ、容量Ｃ１２、Ｃ１３、Ｃ２１、Ｃ２２、Ｃ２３と呼ぶこととする。
【００３０】
以上の容量Ｃ１１〜Ｃ１３は、図４に示すように直列接続された状態になり、単位フィルタ回路２１を形成することとなる。また、以上の容量Ｃ２１〜Ｃ２３は、図４に示すように直列接続された状態になり、単位フィルタ回路２２を形成することとなる。
【００３１】
第３に、以下の２つの条件を満たすように、誘電体フィルム１０を巻回す。第１の条件は、誘電体フィルム１０を挟んで第１電極Ｘ１、Ｘ２が対向する領域の面積と、誘電体フィルム１０を挟んで第１電極Ｘ２、Ｘ３が対向する領域の面積と、誘電体フィルム１０を挟んで第１電極Ｘ３、Ｘ４が対向する領域の面積と、が等しくなるということである。第２の条件は、誘電体フィルム１０を挟んで第２電極Ｙ１、Ｙ２が対向する領域の面積と、誘電体フィルム１０を挟んで第２電極Ｙ２、Ｙ３が対向する領域の面積と、誘電体フィルム１０を挟んで第２電極Ｙ３、Ｙ４が対向する領域の面積と、が等しくなるということである。
【００３２】
上述の２つの条件を満たすように誘電体フィルム１０を巻回すと、容量Ｃ１１〜Ｃ１３のそれぞれの静電容量が等しくなるとともに、容量Ｃ２１〜Ｃ２３のそれぞれの静電容量が等しくなる。
【００３３】
ここで仮に、第１電極Ｘ１および第２電極Ｙ１を基準電位源に接続するとともに、第１電極Ｘ４および第２電極Ｙ４に３ｋＶの電位源に接続したものとする。すると、図４に示すように、第１電極Ｘ２の電位は１ｋＶになり、第１電極Ｘ３の電位は２ｋＶになる。また、第２電極Ｙ２の電位は１ｋＶになり、第２電極Ｙ３の電位は２ｋＶになる。このため、容量Ｃ１１〜Ｃ１３のそれぞれの電極間電圧が等しくなるとともに、容量Ｃ２１〜Ｃ２３のそれぞれの電極間電圧が等しくなり、フィルタ回路１には、内周部から外周部に向かって、等電位電界が形成されることとなる。
【００３４】
以上のフィルタ回路１によれば、以下の効果を奏することができる。
【００３５】
フィルタ回路１は、第１電極Ｘ１〜Ｘ４により形成される単位フィルタ回路２１を備えるとともに、第２電極Ｙ１〜Ｙ４により形成される単位フィルタ回路２２を備える。このため、単位フィルタ回路２１によりフィルタを形成するとともに、単位フィルタ回路２２によりフィルタを形成することができる。
【００３６】
また、フィルタ回路１では、第１電極Ｘ１〜Ｘ４により形成される容量Ｃ１１〜Ｃ１３のそれぞれの静電容量が等しいとともに、第２電極Ｙ１〜Ｙ４により形成される容量Ｃ２１〜Ｃ２３のそれぞれの静電容量が等しい。このため、単位フィルタ回路２１の一端と他端との間に電圧を印加すると、容量Ｃ１１〜Ｃ１３のそれぞれの電極間電圧が等しくなる。また、単位フィルタ回路２２の一端と他端との間に電圧を印加すると、容量Ｃ２１〜Ｃ２３のそれぞれの電極間電圧が等しくなる。したがって、フィルタ回路１には、内周部から外周部または外周部から内周部に向かって、等電位電界が形成されることとなる。よって、単位フィルタ回路２１、２２に対してシールドを施さなくても、これら単位フィルタ回路２１、２２に交流電圧の交流成分やノイズが伝搬してしまうのを防止できる。よって、フィルタに対するシールドが不要となるので、フィルタ回路１を小型化できる。
【００３７】
＜第２実施形態＞
図５、６を用いて、本発明の第２実施形態に係るフィルタ回路１Ａについて説明する。フィルタ回路１Ａは、本発明の第１実施形態に係るフィルタ回路１とは、平面状フィルタ回路２の代わりに平面状フィルタ回路２Ａを備える点が異なる。平面状フィルタ回路２Ａは、平面状フィルタ回路２とは、第３電極Ｚ２〜Ｚ４を備える点と、抵抗Ｒ１１、Ｒ１２、Ｒ２１、Ｒ２２、Ｒ３１、Ｒ３２を備える点と、誘電体フィルム１０の代わりに誘電体フィルム１０Ａを備える点と、第１電極Ｘ１および第２電極Ｙ１の代わりに基準電極Ｇ０を備える点と、が異なる。なお、フィルタ回路１Ａにおいて、フィルタ回路１と同一構成要件については、同一符号を付し、その説明を省略する。
【００３８】
誘電体フィルム１０Ａは、絶縁性を有し、帯状に形成される。基準電極Ｇ０および第１電極Ｘ２〜Ｘ４は、図５に示すように、誘電体フィルム１０Ａの一方の面に、この誘電体フィルム１０Ａの長手方向に並んで形成される。第２電極Ｙ２〜Ｙ４は、誘電体フィルム１０Ａの一方の面に、第１電極Ｘ２〜Ｘ４と並んで形成される。第３電極Ｚ２〜Ｚ４は、誘電体フィルム１０Ａの一方の面に、第２電極Ｙ２〜Ｙ４と並んで形成される。
【００３９】
基準電極Ｇ０は、第１電極Ｘ２〜Ｘ４のそれぞれと比べて、誘電体フィルム１０Ａの短手方向の長さが長く形成されており、基準電極Ｇ０は、第１電極Ｘ２〜Ｘ４を結ぶ直線上に存在するとともに、第２電極Ｙ２〜Ｙ４を結ぶ直線上と、第３電極Ｚ２〜Ｚ４を結ぶ直線上と、にも存在する。
【００４０】
抵抗Ｒ１１は、第１電極Ｘ２と第２電極Ｙ２とを接続し、抵抗Ｒ１２は、第２電極Ｙ２と第３電極Ｚ２とを接続する。抵抗Ｒ２１は、第１電極Ｘ３と第２電極Ｙ３とを接続し、抵抗Ｒ２２は、第２電極Ｙ３と第３電極Ｚ３とを接続する。抵抗Ｒ３１は、第１電極Ｘ４と第２電極Ｙ４とを接続し、抵抗Ｒ３２は、第２電極Ｙ４と第３電極Ｚ４とを接続する。
【００４１】
以上の誘電体フィルム１０Ａを後述のように巻回すことにより、平面状フィルタ回路２Ａを、平面状フィルタ回路２と同様に巻回す。
【００４２】
具体的には、第１に、基準電極Ｇ０、第１電極Ｘ２〜Ｘ４、第２電極Ｙ２〜Ｙ４、第３電極Ｚ２〜Ｚ４のそれぞれが、巻回された誘電体フィルム１０Ａのうち自身の形成されている部分より外周側に位置するように、誘電体フィルム１０Ａを巻回す。
【００４３】
第２に、以下の３つの条件を満たすように、誘電体フィルム１０Ａを巻回す。第１の条件は、基準電極Ｇ０および第１電極Ｘ２〜Ｘ４のそれぞれが、巻回された誘電体フィルム１０Ａのうち自身の形成されている部分より外周側の部分を挟んで、基準電極Ｇ０および第１電極Ｘ２〜Ｘ４のうち自身とは異なる１つと対向するとともに、巻回された誘電体フィルム１０Ａのうち自身の形成されている部分より内周側の部分を挟んで、基準電極Ｇ０および第１電極Ｘ２〜Ｘ４のうち自身とは異なる１つと対向するということである。第２の条件は、基準電極Ｇ０および第２電極Ｙ２〜Ｙ４のそれぞれが、巻回された誘電体フィルム１０Ａのうち自身の形成されている部分より外周側の部分を挟んで、基準電極Ｇ０および第２電極Ｙ２〜Ｙ４のうち自身とは異なる１つと対向するとともに、巻回された誘電体フィルム１０Ａのうち自身の形成されている部分より内周側の部分を挟んで、基準電極Ｇ０および第２電極Ｙ２〜Ｙ４のうち自身とは異なる１つと対向するということである。第３の条件は、基準電極Ｇ０および第３電極Ｚ２〜Ｚ４のそれぞれが、巻回された誘電体フィルム１０Ａのうち自身の形成されている部分より外周側の部分を挟んで、基準電極Ｇ０および第３電極Ｚ２〜Ｚ４のうち自身とは異なる１つと対向するとともに、巻回された誘電体フィルム１０Ａのうち自身の形成されている部分より内周側の部分を挟んで、基準電極Ｇ０および第３電極Ｚ２〜Ｚ４のうち自身とは異なる１つと対向するということである。
【００４４】
上述の３つの条件を満たすように誘電体フィルム１０Ａを巻回すと、基準電極Ｇ０と第１電極Ｘ２、第１電極Ｘ２と第１電極Ｘ３、第１電極Ｘ３と第１電極Ｘ４、基準電極Ｇ０と第２電極Ｙ２、第２電極Ｙ２と第２電極Ｙ３、第２電極Ｙ３と第２電極Ｙ４、基準電極Ｇ０と第３電極Ｚ２、第３電極Ｚ２と第３電極Ｚ３、第３電極Ｚ３と第３電極Ｚ４は、それぞれ、誘電体フィルム１０Ａを挟んで対向し、対向する領域では、容量が形成されることとなる。以降では、誘電体フィルム１０Ａを挟んで基準電極Ｇ０と第１電極Ｘ２とが対向して形成される容量を、容量Ｃ１０と呼ぶこととする。また、基準電極Ｇ０と第２電極Ｙ２、基準電極Ｇ０と第３電極Ｚ２、第３電極Ｚ２と第３電極Ｚ３、第３電極Ｚ３と第３電極Ｚ４についても、誘電体フィルム１０Ａを挟んで対向して形成される容量を、それぞれ、容量Ｃ２０、Ｃ３０、Ｃ３２、Ｃ３３と呼ぶこととする。
【００４５】
以上の容量Ｃ１０、Ｃ１２、Ｃ１３は、図６に示すように直列接続された状態になり、単位フィルタ回路２１Ａを形成することとなる。また、以上の容量Ｃ２０、Ｃ２２、Ｃ２３は、図６に示すように直列接続された状態になり、単位フィルタ回路２２Ａを形成することとなる。また、以上の容量Ｃ３０、Ｃ３２、Ｃ３３は、図６に示すように直列接続された状態になり、単位フィルタ回路２３Ａを形成することとなる。
【００４６】
ここで、上述のように、抵抗Ｒ１１は、第１電極Ｘ２と第２電極Ｙ２とを接続する。このため、容量Ｃ１０、Ｃ２０は、抵抗Ｒ１１を介して並列接続されることとなる。また、容量Ｃ２０、Ｃ３０は、抵抗Ｒ１２を介して並列接続されることとなる。また、容量Ｃ１２、Ｃ２２は、抵抗Ｒ１１、Ｒ２１を介して並列接続され、容量Ｃ２２、Ｃ３２は、抵抗Ｒ１２、Ｒ２２を介して並列接続される。また、容量Ｃ１３、Ｃ２３は、抵抗Ｒ２１、Ｒ３１を介して並列接続され、容量Ｃ２３、Ｃ３３は、抵抗Ｒ２２、Ｒ３２を介して並列接続される。
【００４７】
第３に、以下の３つの条件を満たすように、誘電体フィルム１０Ａを巻回す。第１の条件は、誘電体フィルム１０Ａを挟んで基準電極Ｇ０と第１電極Ｘ２とが対向する領域の面積と、誘電体フィルム１０Ａを挟んで第１電極Ｘ２、Ｘ３が対向する領域の面積と、誘電体フィルム１０Ａを挟んで第１電極Ｘ３、Ｘ４が対向する領域の面積と、が等しくなるということである。第２の条件は、誘電体フィルム１０Ａを挟んで基準電極Ｇ０と第２電極Ｙ２とが対向する領域の面積と、誘電体フィルム１０Ａを挟んで第２電極Ｙ２、Ｙ３が対向する領域の面積と、誘電体フィルム１０Ａを挟んで第２電極Ｙ３、Ｙ４が対向する領域の面積と、が等しくなるということである。第３の条件は、誘電体フィルム１０Ａを挟んで基準電極Ｇ０と第３電極Ｚ２とが対向する領域の面積と、誘電体フィルム１０Ａを挟んで第３電極Ｚ２、Ｚ３が対向する領域の面積と、誘電体フィルム１０Ａを挟んで第３電極Ｚ３、Ｚ４が対向する領域の面積と、が等しくなるということである。
【００４８】
上述の３つの条件を満たすように誘電体フィルム１０Ａを巻回すと、容量Ｃ１０、Ｃ１２、Ｃ１３のそれぞれの静電容量が等しくなる。また、容量Ｃ２０、Ｃ２２、Ｃ２３のそれぞれの静電容量も等しくなるとともに、容量Ｃ３０、Ｃ３２、Ｃ３３のそれぞれの静電容量も等しくなる。
【００４９】
以上のフィルタ回路１Ａによれば、フィルタ回路１が奏することのできる上述の効果に加えて、以下の効果を奏することができる。
【００５０】
フィルタ回路１Ａでは、容量Ｃ１０、Ｃ２０は、抵抗Ｒ１１を介して並列接続され、容量Ｃ２０、Ｃ３０は、抵抗Ｒ１２を介して並列接続される。また、容量Ｃ１２、Ｃ２２は、抵抗Ｒ１１、Ｒ２１を介して並列接続され、容量Ｃ２２、Ｃ３２は、抵抗Ｒ１２、Ｒ２２を介して並列接続される。また、容量Ｃ１３、Ｃ２３は、抵抗Ｒ２１、Ｒ３１を介して並列接続され、容量Ｃ２３、Ｃ３３は、抵抗Ｒ２２、Ｒ３２を介して並列接続される。このため、抵抗Ｒ１１、Ｒ１２、Ｒ２１、Ｒ２２、Ｒ３１、Ｒ３２のそれぞれの抵抗値を等しくすることで、容量Ｃ１０、Ｃ１２、Ｃ１３のそれぞれの電極間電圧の比と、容量Ｃ２０、Ｃ２２、Ｃ２３のそれぞれの電極間電圧の比と、容量Ｃ３０、Ｃ３２、Ｃ３３のそれぞれの電極間電圧の比と、を等しくすることができる。これによれば、フィルタ回路１Ａでは、フィルタ回路１と比べて、等電位電界をより安定して形成させることができ、単位フィルタ回路２１Ａ、２２Ａ、２３Ａに交流電圧の交流成分やノイズが伝搬してしまうのを的確に防止できる。
【００５１】
＜第３実施形態＞
図７、８を用いて、本発明の第３実施形態に係るフィルタ回路１Ｂについて説明する。フィルタ回路１Ｂは、本発明の第２実施形態に係るフィルタ回路１Ａとは、平面状フィルタ回路２Ａの代わりに平面状フィルタ回路２Ｂを備える点が異なる。平面状フィルタ回路２Ｂは、平面状フィルタ回路２Ａとは、第４電極Ｍ１〜Ｍ４を備える点と、ダイオードＤ１〜Ｄ６を備える点と、誘電体フィルム１０Ａの代わりに誘電体フィルム１０Ｂを備える点と、が異なる。なお、フィルタ回路１Ｂにおいて、フィルタ回路１Ａと同一構成要件については、同一符号を付し、その説明を省略する。
【００５２】
誘電体フィルム１０Ｂは、絶縁性を有し、帯状に形成される。誘電体フィルム１０Ｂの一方の面には、誘電体フィルム１０Ａの一方の面と同様に基準電極Ｇ０、第１電極Ｘ２〜Ｘ４、第２電極Ｙ２〜Ｙ４、第３電極Ｚ２〜Ｚ４、抵抗Ｒ１１、Ｒ１２、Ｒ２１、Ｒ２２、Ｒ３１、Ｒ３２が形成されるとともに、第４電極Ｍ１〜Ｍ４が、基準電極Ｇ０および第１電極Ｘ２〜Ｘ４と並んで形成される。
【００５３】
また、ダイオードＤ１のアノードには、基準電極Ｇ０が接続され、ダイオードＤ１のカソードには、第４電極Ｍ２が接続される。ダイオードＤ２のアノードには、第４電極Ｍ２が接続され、ダイオードＤ２のカソードには、第１電極Ｘ２が接続される。ダイオードＤ３のアノードには、第１電極Ｘ２が接続され、ダイオードＤ３のカソードには、第４電極Ｍ３が接続される。ダイオードＤ４のアノードには、第４電極Ｍ３が接続され、ダイオードＤ４のカソードには、第１電極Ｘ３が接続される。ダイオードＤ５のアノードには、第１電極Ｘ３が接続され、ダイオードＤ５のカソードには、第４電極Ｍ４が接続される。ダイオードＤ６のアノードには、第４電極Ｍ４が接続され、ダイオードＤ６のカソードには、第１電極Ｘ４が接続される。
【００５４】
以上の誘電体フィルム１０Ｂを後述のように巻回すことにより、平面状フィルタ回路２Ｂを、平面状フィルタ回路２Ａと同様に巻回す。
【００５５】
具体的には、第１に、基準電極Ｇ０、第１電極Ｘ２〜Ｘ４、第２電極Ｙ２〜Ｙ４、第３電極Ｚ２〜Ｚ４、第４電極Ｍ１〜Ｍ４のそれぞれが、巻回された誘電体フィルム１０Ｂのうち自身の形成されている部分より外周側に位置するように、誘電体フィルム１０Ｂを巻回す。
【００５６】
第２に、以下の４つの条件を満たすように、誘電体フィルム１０Ｂを巻回す。第１の条件は、基準電極Ｇ０および第１電極Ｘ２〜Ｘ４のそれぞれが、巻回された誘電体フィルム１０Ｂのうち自身の形成されている部分より外周側の部分を挟んで、基準電極Ｇ０および第１電極Ｘ２〜Ｘ４のうち自身とは異なる１つと対向するとともに、巻回された誘電体フィルム１０Ｂのうち自身の形成されている部分より内周側の部分を挟んで、基準電極Ｇ０および第１電極Ｘ２〜Ｘ４のうち自身とは異なる１つと対向するということである。第２の条件は、基準電極Ｇ０および第２電極Ｙ２〜Ｙ４のそれぞれが、巻回された誘電体フィルム１０Ｂのうち自身の形成されている部分より外周側の部分を挟んで、基準電極Ｇ０および第２電極Ｙ２〜Ｙ４のうち自身とは異なる１つと対向するとともに、巻回された誘電体フィルム１０Ｂのうち自身の形成されている部分より内周側の部分を挟んで、基準電極Ｇ０および第２電極Ｙ２〜Ｙ４のうち自身とは異なる１つと対向するということである。第３の条件は、基準電極Ｇ０および第３電極Ｚ２〜Ｚ４のそれぞれが、巻回された誘電体フィルム１０Ｂのうち自身の形成されている部分より外周側の部分を挟んで、基準電極Ｇ０および第３電極Ｚ２〜Ｚ４のうち自身とは異なる１つと対向するとともに、巻回された誘電体フィルム１０Ｂのうち自身の形成されている部分より内周側の部分を挟んで、基準電極Ｇ０および第３電極Ｚ２〜Ｚ４のうち自身とは異なる１つと対向するということである。第４の条件は、第４電極Ｍ１〜Ｍ４のそれぞれが、巻回された誘電体フィルム１０Ｂのうち自身の形成されている部分より外周側の部分を挟んで、第４電極Ｍ１〜Ｍ４のうち自身とは異なる１つと対向するとともに、巻回された誘電体フィルム１０Ｂのうち自身の形成されている部分より内周側の部分を挟んで、第４電極Ｍ１〜Ｍ４のうち自身とは異なる１つと対向するということである。
【００５７】
上述の４つの条件を満たすように誘電体フィルム１０Ｂを巻回すと、誘電体フィルム１０Ａを巻回した場合と同様に、容量Ｃ１０、Ｃ１２、Ｃ１３、Ｃ２０、Ｃ２２、Ｃ２３、Ｃ３０、Ｃ３２、Ｃ３３が形成されることとなる。また、第４電極Ｍ１と第４電極Ｍ２、第４電極Ｍ２と第４電極Ｍ３、第４電極Ｍ３と第４電極Ｍ４は、それぞれ、誘電体フィルム１０Ｂを挟んで対向し、対向する領域では、容量Ｃ１、Ｃ２、Ｃ３が形成されることとなる。そして、これら容量Ｃ１〜Ｃ３は、図８に示すように直列接続された状態になり、単位フィルタ回路２４Ａを形成することとなる。さらに、これら容量Ｃ１〜Ｃ３と容量Ｃ１０、Ｃ１２、Ｃ１３とは、ダイオードＤ１〜Ｄ６とコッククロフト・ウォルトン回路を形成する。
【００５８】
容量Ｃ１０には、ダイオードＤ１、Ｄ２を直列接続したものが並列接続され、容量Ｃ２には、ダイオードＤ２、Ｄ３を直列接続したものが並列接続され、容量Ｃ１２には、ダイオードＤ３、Ｄ４を直列接続したものが並列接続され、容量Ｃ３には、ダイオードＤ４、Ｄ５を直列接続したものが並列接続され、容量Ｃ１３には、ダイオードＤ５、Ｄ６を直列接続したものが並列接続される。容量Ｃ１には、ダイオードＤ１と交流電源ＡＣとを直列接続したものが並列接続される。
【００５９】
なお、ダイオードＤ１〜Ｄ６のそれぞれの順方向電圧は、等しいものとする。
【００６０】
第３に、以下の４つの条件を満たすように、誘電体フィルム１０Ｂを巻回す。第１の条件は、誘電体フィルム１０Ｂを挟んで基準電極Ｇ０と第１電極Ｘ２とが対向する領域の面積と、誘電体フィルム１０Ｂを挟んで第１電極Ｘ２、Ｘ３が対向する領域の面積と、誘電体フィルム１０Ｂを挟んで第１電極Ｘ３、Ｘ４が対向する領域の面積と、が等しくなるということである。第２の条件は、誘電体フィルム１０Ｂを挟んで基準電極Ｇ０と第２電極Ｙ２とが対向する領域の面積と、誘電体フィルム１０Ｂを挟んで第２電極Ｙ２、Ｙ３が対向する領域の面積と、誘電体フィルム１０Ｂを挟んで第２電極Ｙ３、Ｙ４が対向する領域の面積と、が等しくなるということである。第３の条件は、誘電体フィルム１０Ｂを挟んで基準電極Ｇ０と第３電極Ｚ２とが対向する領域の面積と、誘電体フィルム１０Ｂを挟んで第３電極Ｚ２、Ｚ３が対向する領域の面積と、誘電体フィルム１０Ｂを挟んで第３電極Ｚ３、Ｚ４が対向する領域の面積と、が等しくなるということである。第４の条件は、誘電体フィルム１０Ｂを挟んで第４電極Ｍ１、Ｍ２が対向する領域の面積と、誘電体フィルム１０Ｂを挟んで第４電極Ｍ２、Ｍ３が対向する領域の面積と、誘電体フィルム１０Ｂを挟んで第４電極Ｍ３、Ｍ４が対向する領域の面積と、が等しくなるということである。
【００６１】
上述の４つの条件を満たすように誘電体フィルム１０Ｂを巻回すと、容量Ｃ１０、Ｃ１２、Ｃ１３のそれぞれの静電容量が等しくなる。また、容量Ｃ２０、Ｃ２２、Ｃ２３のそれぞれの静電容量も等しくなり、容量Ｃ３０、Ｃ３２、Ｃ３３のそれぞれの静電容量も等しくなるとともに、容量Ｃ１〜Ｃ３のそれぞれの静電容量も等しくなる。
【００６２】
以上のフィルタ回路１Ｂによれば、フィルタ回路１Ａが奏することのできる上述の効果に加えて、以下の効果を奏することができる。
【００６３】
フィルタ回路１Ｂには、容量Ｃ１〜Ｃ３、Ｃ１０、Ｃ１２、Ｃ１３およびダイオードＤ１〜Ｄ６によりコッククロフト・ウォルトン回路が形成される。そして、容量Ｃ１〜Ｃ３のそれぞれの静電容量が等しいとともに、容量Ｃ１０、Ｃ１２、Ｃ１３のそれぞれの静電容量が等しい。このため、容量Ｃ１〜Ｃ３、Ｃ１０、Ｃ１２、Ｃ１３のうち特定の容量でのみ電極間電圧が耐電圧を超えてしまうのを防止しつつ、コッククロフト・ウォルトン回路および交流電源ＡＣにより高電圧を生成することができる。
【００６４】
＜第４実施形態＞
図９〜１３を用いて、本発明の第４実施形態に係るフィルタ回路１Ｃについて説明する。フィルタ回路１Ｃは、本発明の第１実施形態に係るフィルタ回路１とは、平面状フィルタ回路２の代わりに平面状フィルタ回路２Ｃを備える点が異なる。平面状フィルタ回路２Ｃは、平面状フィルタ回路２とは、誘電体フィルムの一方の面だけでなく他方の面にも、電極が形成される点が異なる。具体的には、平面状フィルタ回路２Ｃは、平面状フィルタ回路２とは、第１電極Ｘ１〜Ｘ４の代わりに第１電極Ｘ１１〜Ｘ１３、Ｘ２１、Ｘ２２を備える点と、第２電極Ｙ１〜Ｙ４の代わりに第２電極Ｙ１１〜Ｙ１３、Ｙ２１、Ｙ２２を備える点と、誘電体フィルム１０の代わりに誘電体フィルム１１、１２を備える点と、が異なる。
【００６５】
誘電体フィルム１１は、絶縁性を有し、帯状に形成される。第１電極Ｘ１１〜Ｘ１３は、図９と、図９の平面状フィルタ回路２ＣのＢ−Ｂ断面図である図１０と、に示すように、誘電体フィルム１１の一方の面に、この誘電体フィルム１１の長手方向に並んで形成される。なお、図９の平面状フィルタ回路２Ｃでは、便宜上、誘電体フィルム１２の図示を省略している。第２電極Ｙ１１〜Ｙ１３は、図９に示すように、誘電体フィルム１１の一方の面に、第１電極Ｘ１１〜Ｘ１３と並んで形成される。
【００６６】
第１電極Ｘ２１、Ｘ２２は、図９、１０に示すように、誘電体フィルム１１の他方の面に、この誘電体フィルム１１の長手方向に並んで形成される。第２電極Ｙ２１、Ｙ２２は、図９に示すように、誘電体フィルム１１の他方の面に、第１電極Ｘ２１、Ｘ２２と並んで形成される。
【００６７】
第１電極Ｘ１２は、誘電体フィルム１１を挟んで、互いに隣接する第１電極Ｘ２１、Ｘ２２と対向する。
【００６８】
第１電極Ｘ２１、Ｘ２２のそれぞれは、誘電体フィルム１１を挟んで、第１電極Ｘ１１〜Ｘ１３のうち互いに隣接する２つと対向する。具体的には、誘電体フィルム１１を挟んで、第１電極Ｘ２１は、第１電極Ｘ１１、Ｘ１２と対向し、第１電極Ｘ２２は、第１電極Ｘ１２、Ｘ１３と対向する。
【００６９】
第１電極Ｘ１１と第１電極Ｘ２１、第１電極Ｘ２１と第１電極Ｘ１２、第１電極Ｘ１２と第１電極Ｘ２２、第１電極Ｘ２２と第１電極Ｘ１３は、それぞれ、誘電体フィルム１１を挟んで対向する領域で、容量Ｃ４１〜Ｃ４４を形成する。容量Ｃ４１〜Ｃ４４は、図１１に示すように直列接続された状態になり、単位フィルタ回路２５を形成する。
【００７０】
なお、誘電体フィルム１１を挟んで第１電極Ｘ１１、Ｘ２１が対向する領域の面積と、誘電体フィルム１１を挟んで第１電極Ｘ２１、Ｘ１２が対向する領域の面積と、誘電体フィルム１１を挟んで第１電極Ｘ１２、Ｘ２２が対向する領域の面積と、誘電体フィルム１１を挟んで第１電極Ｘ２２、Ｘ１３が対向する領域の面積と、は等しいものとする。このため、容量Ｃ４１〜Ｃ４４のそれぞれの静電容量は、等しい。
【００７１】
第２電極Ｙ１２は、誘電体フィルム１１を挟んで、互いに隣接する第２電極Ｙ２１、Ｙ２２と対向する。
【００７２】
第２電極Ｙ２１、Ｙ２２のそれぞれは、誘電体フィルム１１を挟んで、第２電極Ｙ１１〜Ｙ１３のうち互いに隣接する２つと対向する。具体的には、誘電体フィルム１１を挟んで、第２電極Ｙ２１は、第２電極Ｙ１１、Ｙ１２と対向し、第２電極Ｙ２２は、第２電極Ｙ１２、Ｙ１３と対向する。
【００７３】
第２電極Ｙ１１と第２電極Ｙ２１、第２電極Ｙ２１と第２電極Ｙ１２、第２電極Ｙ１２と第２電極Ｙ２２、第２電極Ｙ２２と第２電極Ｙ１３は、それぞれ、誘電体フィルム１１を挟んで対向する領域で、容量Ｃ５１〜Ｃ５４を形成する。容量Ｃ５１〜Ｃ５４は、図１１に示すように直列接続された状態になり、単位フィルタ回路２６を形成する。
【００７４】
なお、誘電体フィルム１１を挟んで第２電極Ｙ１１、Ｙ２１が対向する領域の面積と、誘電体フィルム１１を挟んで第２電極Ｙ２１、Ｙ１２が対向する領域の面積と、誘電体フィルム１１を挟んで第２電極Ｙ１２、Ｙ２２が対向する領域の面積と、誘電体フィルム１１を挟んで第２電極Ｙ２２、Ｙ１３が対向する領域の面積と、は等しいものとする。このため、容量Ｃ５１〜Ｃ５４のそれぞれの静電容量は、等しい。
【００７５】
図１０に戻って、誘電体フィルム１２は、誘電体フィルム１１と等しい厚さおよび誘電率を有するとともに、絶縁性を有し、誘電体フィルム１１の長手方向に帯状に形成される。誘電体フィルム１１と誘電体フィルム１２とは、第１電極Ｘ２１、Ｘ２２および第２電極Ｙ２１、Ｙ２２を挟持する。
【００７６】
以上の誘電体フィルム１１、１２を後述のように巻回すことにより、平面状フィルタ回路２Ｃを、図１２に示すように巻回す。
【００７７】
具体的には、第１に、第１電極Ｘ１１〜Ｘ１３、第２電極Ｙ１１〜Ｙ１３のそれぞれが、巻回された誘電体フィルム１１のうち自身の形成されている部分より外周側に位置するとともに、第１電極Ｘ２１、Ｘ２２、第２電極Ｙ２１、Ｙ２２のそれぞれが、巻回された誘電体フィルム１１のうち自身の形成されている部分より内周側に位置するように、誘電体フィルム１１、１２を巻回す。
【００７８】
第２に、以下の２つの条件を満たすように、誘電体フィルム１１、１２を巻回す。第１の条件は、誘電体フィルム１２を挟んで、互いに隣接する第１電極Ｘ２１、Ｘ２２と第１電極Ｘ１２とが対向するとともに、互いに隣接する第１電極Ｘ１２、Ｘ１３と第１電極Ｘ２２とが対向するということである。第２の条件は、誘電体フィルム１２を挟んで、互いに隣接する第２電極Ｙ２１、Ｙ２２と第２電極Ｙ１２とが対向するとともに、互いに隣接する第２電極Ｙ１２、Ｙ１３と第２電極Ｙ２２とが対向するということである。
【００７９】
上述の２つの条件を満たすように誘電体フィルム１１、１２を巻回すと、第１電極Ｘ２１と第１電極Ｘ１２、第１電極Ｘ１２と第１電極Ｘ２２、第１電極Ｘ２２と第１電極Ｘ１３、第２電極Ｙ２１と第２電極Ｙ１２、第２電極Ｙ１２と第２電極Ｙ２２、第２電極Ｙ２２と第２電極Ｙ１３は、それぞれ、誘電体フィルム１２を挟んで対向し、対向する領域では、容量Ｃ６１〜Ｃ６３、Ｃ７１〜Ｃ７３が形成されることとなる。
【００８０】
以上の容量Ｃ６１〜Ｃ６３、Ｃ７１〜Ｃ７３は、それぞれ、図１３に示すように、直列接続された状態となる。ここで、容量Ｃ６１は、容量Ｃ４２と同様に、第１電極Ｘ２１および第１電極Ｘ１２により形成される。このため、容量Ｃ６１は、容量Ｃ４２と並列接続された状態と見なすことができる。容量Ｃ６２、Ｃ６３、Ｃ７１〜Ｃ７３についても、容量Ｃ６１と同様に、それぞれ、容量Ｃ４３、Ｃ４４、Ｃ５２〜Ｃ５４と並列接続された状態と見なすことができる。以降では、容量Ｃ４２〜Ｃ４４のそれぞれに容量Ｃ６１〜Ｃ６３のそれぞれが並列接続された単位フィルタ回路２５を、単位フィルタ回路２５Ａと呼ぶこととする。また、容量Ｃ５２〜Ｃ５４のそれぞれに容量Ｃ７１〜Ｃ７３のそれぞれが並列接続された単位フィルタ回路２６を、単位フィルタ回路２６Ａと呼ぶこととする。
【００８１】
第３に、以下の２つの条件を満たすように、誘電体フィルム１１、１２を巻回す。第１の条件は、誘電体フィルム１２を挟んで第１電極Ｘ２１、Ｘ１２が対向する領域の面積と、誘電体フィルム１２を挟んで第１電極Ｘ１２、Ｘ２２が対向する領域の面積と、誘電体フィルム１２を挟んで第１電極Ｘ２２、Ｘ１３が対向する領域の面積と、誘電体フィルム１１を挟んで第１電極Ｘ１１、Ｘ２１が対向する領域の面積と、誘電体フィルム１１を挟んで第１電極Ｘ２１、Ｘ１２が対向する領域の面積と、誘電体フィルム１１を挟んで第１電極Ｘ１２、Ｘ２２が対向する領域の面積と、誘電体フィルム１１を挟んで第１電極Ｘ２２、Ｘ１３が対向する領域の面積と、が等しくなるということである。第２の条件は、誘電体フィルム１２を挟んで第２電極Ｙ２１、Ｙ１２が対向する領域の面積と、誘電体フィルム１２を挟んで第２電極Ｙ１２、Ｙ２２が対向する領域の面積と、誘電体フィルム１２を挟んで第２電極Ｙ２２、Ｙ１３が対向する領域の面積と、誘電体フィルム１１を挟んで第２電極Ｙ１１、Ｙ２１が対向する領域の面積と、誘電体フィルム１１を挟んで第２電極Ｙ２１、Ｙ１２が対向する領域の面積と、誘電体フィルム１１を挟んで第２電極Ｙ１２、Ｙ２２が対向する領域の面積と、誘電体フィルム１１を挟んで第２電極Ｙ２２、Ｙ１３が対向する領域の面積と、が等しくなるということである。
【００８２】
上述の２つの条件を満たすように誘電体フィルム１１、１２を巻回すと、容量Ｃ６１〜Ｃ６３のそれぞれの静電容量が等しくなるとともに、容量Ｃ７１〜Ｃ７３のそれぞれの静電容量も等しくなる。
【００８３】
ここで、上述のように、誘電体フィルム１２の厚さおよび誘電率は、それぞれ、誘電体フィルム１１の厚さおよび誘電率と等しく、かつ、誘電体フィルム１１を挟んで第１電極同士が対向する領域の面積と、誘電体フィルム１２を挟んで第１電極同士が対向する領域の面積と、が等しいとともに、誘電体フィルム１１を挟んで第２電極同士が対向する領域の面積と、誘電体フィルム１２を挟んで第２電極同士が対向する領域の面積と、が等しい。このため、容量Ｃ６１〜Ｃ６３のそれぞれの静電容量は、容量Ｃ４１〜Ｃ４４のそれぞれの静電容量に等しく、容量Ｃ７１〜Ｃ７３のそれぞれの静電容量は、容量Ｃ５１〜Ｃ５４のそれぞれの静電容量に等しいこととなる。
【００８４】
以上のフィルタ回路１Ｃによれば、フィルタ回路１が奏することのできる上述の効果に加えて、以下の効果を奏することができる。
【００８５】
フィルタ回路１Ｃでは、容量Ｃ４２〜Ｃ４４のそれぞれに、静電容量の等しい容量Ｃ６１〜Ｃ６３のそれぞれが並列接続されるとともに、容量Ｃ５２〜Ｃ５４のそれぞれに、静電容量の等しい容量Ｃ７１〜Ｃ７３のそれぞれが並列接続される。このため、フィルタ回路１Ｃは、フィルタ回路１と比べて、等電位電界をより安定して形成することができるので、単位フィルタ回路２５Ａ、２６Ａに交流電圧の交流成分やノイズが伝搬してしまうのをより的確に防止できる。
【００８６】
本発明は、上述の実施形態に限定されるものではなく、この発明の要旨を逸脱しない範囲内で様々な変形や応用が可能である。
【００８７】
例えば、上述の各実施形態では、絶縁性を有し、帯状に形成される帯状部材として、誘電体フィルムを用いた。この誘電体フィルムは、例えばポリイミドフィルムで形成されてもよい。また、上述の帯状部材を、例えばセラミックで形成してもよい。
【００８８】
また、上述の第４実施形態では、第１電極Ｘ１１〜Ｘ１３、Ｘ２１、Ｘ２２および第２電極Ｙ１１〜Ｙ１３、Ｙ２１、Ｙ２２を、誘電体フィルム１１に形成したが、これに限らない。例えば、第１電極Ｘ１１〜Ｘ１３および第２電極Ｙ１１〜Ｙ１３を、誘電体フィルム１１の一方の面に形成し、第１電極Ｘ２１、Ｘ２２および第２電極Ｙ２１、Ｙ２２を、誘電体フィルム１２の一方の面に形成し、誘電体フィルム１１と誘電体フィルム１２とで第１電極Ｘ２１、Ｘ２２および第２電極Ｙ２１、Ｙ２２を挟持することとしてもよい。
【００８９】
また、上述の第１実施形態では、第１電極Ｘ１〜Ｘ４の４つの第１電極と、第２電極Ｙ１〜Ｙ４の４つの第４電極と、を誘電体フィルム１０に形成したが、誘電体フィルム１０に形成する第１電極および第２電極の数は、４つに限らず、任意の数であってよい。また、上述の第２実施形態、第３実施形態、および第４実施形態においても、誘電体フィルムに形成する電極の数は、任意の数であってよい。
【００９０】
また、上述の第１実施形態では、誘電体フィルム１０を挟んで第１電極Ｘ１、Ｘ２が対向する領域の面積と、誘電体フィルム１０を挟んで第１電極Ｘ２、Ｘ３が対向する領域の面積と、誘電体フィルム１０を挟んで第１電極Ｘ３、Ｘ４が対向する領域の面積と、が等しくなるように誘電体フィルム１０を巻回したが、これに限らず、容量Ｃ１１〜Ｃ１３のそれぞれの静電容量が等しくなるように誘電体フィルム１０を巻回せばよい。
【００９１】
また、上述の第４実施形態では、誘電体フィルム１１、１２の厚さおよび誘電率が等しく、かつ、誘電体フィルム１１を挟んで電極同士が対向する領域の面積と、誘電体フィルム１２を挟んで電極同士が対向する領域の面積と、が等しいものとしたが、これに限らない。誘電体フィルム１１を挟んで形成される容量の静電容量と、誘電体フィルム１２を挟んで形成される容量の静電容量と、が等しければ、誘電体フィルム１１と誘電体フィルム１２とで、厚さや誘電率が異なっていたり、上述の電極同士の対向する領域の面積が異なっていたりしてもよい。
【符号の説明】
【００９２】
１、１Ａ、１Ｂ、１Ｃ；フィルタ回路
２、２Ａ、２Ｂ、２Ｃ；平面状フィルタ回路
１０、１０Ａ、１０Ｂ、１１、１２；誘電体フィルム
２１、２２、２５、２６、２１Ａ〜２６Ａ；単位フィルタ回路
Ｃ１〜Ｃ３、Ｃ１０〜Ｃ１３、Ｃ２０〜Ｃ２３、Ｃ３０〜Ｃ３３、Ｃ４１〜Ｃ４４、Ｃ５１〜Ｃ５４、Ｃ６１〜Ｃ６３、Ｃ７１〜Ｃ７３；容量
Ｇ０；基準電極
Ｘ１〜Ｘ４、Ｘ１１〜Ｘ１３、Ｘ２１、Ｘ２２；第１電極
Ｙ１〜Ｙ４、Ｙ１１〜Ｙ１３、Ｙ２１、Ｙ２２；第２電極
Ｚ２〜Ｚ４；第３電極
Ｍ１〜Ｍ４；第４電極
【図４】
0005852852.tif 000002
【図６】
0005852852.tif 000003
【図８】
0005852852.tif 000004
【図１１】
0005852852.tif 000005
【図１３】
0005852852.tif 000006
【図１】
0005852852.tif 000007
【図２】
0005852852.tif 000008
【図３】
0005852852.tif 000009
【図５】
0005852852.tif 000010
【図７】
0005852852.tif 000011
【図９】
0005852852.tif 000012
【図１０】
0005852852.tif 000013
【図１２】
0005852852.tif 000014